(57)【特許請求の範囲】
【請求項１】
引き外し部の動作により各相電路を開路する開閉接点と、上記引き外し部による引き外しの基準となる基準値を設定する基準値設定部と、上記基準値設定部で設定された基準値を記憶する記憶部と、上記各相電路を流れる電流を検出する電流検出器と、上記電流検出器からの入力と上記記憶部に記憶された基準値とに基づいて、上記引き外し部に引き外し信号を出力する引き外し演算部と、上記各相電路より上記引き外し演算部及び上記記憶部に駆動電源を供給する引き外し電源回路とを備えた配線用遮断器において、上記基準値を入力し、この基準値を外部の装置へ送信する上記引き外し演算部と別体の通信演算部と、上記通信演算部に上記各相電路の状態によらず連続して駆動電源を供給する通信電源回路とを備え、上記引き外し演算部は、上記通信演算部より基準値の送信要求を受けたとき、上記記憶部に記憶した基準値を返信するとともに、この通信処理よりも引き外しの演算処理の優先度が高く構成されたことを特徴とする配線用遮断器。
【請求項２】
通信電源回路は、引き外し電源回路が駆動電源を供給できないとき、上記引き外し電源回路が供給する回路に駆動電源を供給可能に構成されたことを特徴とする請求項１記載の配線用遮断器。
【請求項３】
通信電源回路が引き外し電源回路に電源を供給している場合において、通信演算部が送信要求した時刻から予め決められた時間経過後までに上記引き外し演算部より応答がないとき、通信演算部はエラー情報を出力するように構成されたことを特徴とする請求項２記載の配線用遮断器。
【発明の詳細な説明】
【０００１】
【発明の属する技術分野】
この発明は各相電路に流れる電流に応じて引き外し部により開閉接点を開路する配線用遮断器に関し、特に、引き外し部による引き外しの基準となる基準値を外部に送信する配線用遮断器に関する。
【０００２】
【従来の技術】
図５は例えば特開平１１−８９３０号公報に記載された従来の計測機能付の回路遮断器を示すものである。図５において、１は回路遮断器本体、２は回路遮断器本体１内の電路、３は電路２の電流を開閉する開閉接点、４は電路２の電流を検出する変流器、５は変流器４の電流を整流する整流回路、６は整流回路５の出力をＡ／D（analog/digital）変換するとともに電路２に流れる電流の瞬時最大値を検出しその検出値を出力するピーク値変換回路、７はピーク値変換回路６からの入力が瞬時の基準値（所定の瞬時ピーク電流値）を超えたとき信号を出力する瞬時回路、８はピーク値変換回路６からの入力が短限時の基準値（所定の電流値を所定の短限時）を超えたとき信号を出力する短限時回路、９は整流回路５の出力をＡ／D変換するとともに電路２に流れる電流の実効値に変換する実効値変換回路、１０は実効値変換回路９からの入力が長限時の基準値（反限時関数に所定の電流の実効値と長限時）を超えたとき信号を出力する長限時回路、１１はトリガ回路であり、瞬時回路回路７、短限時回路８、長限時回路１０からの信号出力を受け電磁コイル１２を介して開閉接点３を開路する。開閉接点３の引き外しの基準となる短限時回路８、長限時回路１０の基準値は、回路遮断器本体１外部から設定値を変更することができる。
【０００３】
２０は通電情報計測ユニット、２１は電路２の電流を検出する変流器、２２は電路２間の電圧（相間電圧）を検出する変圧器、２３は変流器２１からの出力をＡ／Ｄ変換する電流Ａ／Ｄ変換回路、２４は変圧器２２からの出力をＡ／Ｄ変換する電圧Ａ／Ｄ変換回路、２５は各電路２の現在の電流値出力Ｉ、２６は電路２のうち最大電流値Ｉｍａｘを記憶する最大電流値記憶回路、２７は各電路２の現在の相間電圧Ｖ、２８は電流Ｉと相間電圧Ｖを乗算し負荷の電力Ｗを得る乗算回路、２９は乗算回路の出力を積算し電力値ｋＷｈを得る積算回路である。これらの現在電流値Ｉ、最大電流値Ｉｍａｘ、相間電圧Ｖ、電力Ｗ、電力量ｋＷｈの出力は表示内容選択手段３０を介して表示部３１に表示される。３３は事前警報回路であり、定格電流より少し低い電流値で事前警報出力回路３４へ出力を送り、事前警報表示ランプ３５を点灯させ負荷電流が回路遮断器の遮断動作に迫っていることを知らせる。３６は最大電流値記憶回路２６、乗算回路２８、積算回路２９、表示内容選択手段３０等を実行処理する（図示しない）マイクロプロセッサ及び事前警報出力回路３４用の駆動電源を外部電源３７から変成する電源回路である。
【０００４】
【発明が解決しようとする課題】
上述のように構成された従来の計測機能付の回路遮断器は、電路２の電気量を表示部３１に表示することができ、図示しない外部出力端子を設ければ、これらの電気量を出力することもできる。しかしながら、開閉接点３の引き外しの基準となる短限時回路８、長限時回路１０の基準値を外部に送信できず、これらの基準値の設定値を確認するためには回路遮断器本体１の設置場所に赴く必要があり、さらにまた、この確認作業は、設定値が変更される度に必要となり、外部から回路遮断器本体１を保護協調等について集中管理することが困難であった。
【０００５】
この発明は上述の問題を解決するためになされたもので、引き外しの基準となる設定された基準値を送信することにより外部から集中管理することが容易にできる配線用遮断器を提供することを目的とする。
また、設定された基準値を送信するときに、引き外し演算に影響を与えることがなく、引き外しの信頼性が高い配線用遮断器を提供することを目的とする。
また、引き外し演算部が起動していないときにも設定された基準値を送信でき、外部から集中管理することが容易にできる配線用遮断器を提供することを目的とする。
【０００６】
【課題を解決するための手段】
この発明に係る配線用遮断器は、引き外し部の動作により各相電路を開路する開閉接点と、上記引き外し部による引き外しの基準となる基準値を設定する基準値設定部と、上記基準値設定部で設定された基準値を記憶する記憶部と、上記各相電路を流れる電流を検出する電流検出器と、上記電流検出器からの入力と上記記憶部に記憶された基準値とに基づいて、上記引き外し部に引き外し信号を出力する引き外し演算部と、上記各相電路より上記引き外し演算部及び上記記憶部に駆動電源を供給する引き外し電源回路とを備えた配線用遮断器において、上記基準値を入力し、この基準値を外部の装置へ送信する上記引き外し演算部と別体の通信演算部と、上記通信演算部に上記各相電路の状態によらず連続して駆動電源を供給する通信電源回路とを備え、上記引き外し演算部は、上記通信演算部より基準値の送信要求を受けたとき、上記記憶部に記憶した基準値を返信するとともに、この通信処理よりも引き外しの演算処理の優先度が高く構成されたものである。
【０００８】
また、通信電源回路は、引き外し電源回路が駆動電源を供給できないとき、上記引き外し電源回路が供給する回路に駆動電源を供給可能に構成されたものである。
さらにまた、通信電源回路が引き外し電源回路に電源を供給している場合において、通信演算部が送信要求した時刻から予め決められた時間経過後までに上記引き外し演算部より応答がないとき、通信演算部はエラー情報を出力するように構成されたものである。
【０００９】
【発明の実施の形態】
実施の形態１
以下この発明の実施の形態１について説明する。図１はこの発明の実施の形態１に係る配線用遮断器の構成を説明するブロック図である。図２は特性設定部を構成するテーブルコードスイッチの説明図である。
図１において、１００は配線用遮断器、１０２ａ、１０２ｂ、１０２ｃは配線用遮断器１００内に設けられた電路、１０４ａ、１０４ｂ、１０４ｃは各相電路１０２ａ、１０２ｂ、１０２ｃの電流を検出する電流検出器であり、例えば空心コイルである。１０６は電流検出器１０２ａ、１０２ｂ、１０２ｃからの信号を積分かつ増幅し、各相の電流に対応した信号を相選択サンプリング回路１０８へ出力するとともに、各相の電流に対応した信号のうち最大瞬時値を瞬時回路１１０へ出力する信号入力回路である。１０８は各相の電流に対応した信号から最大相を検出し出力する相選択サンプリング回路、１１０は瞬時回路であり、各相の最大瞬時値が特性設定部１２８により設定された瞬時引き外しの基準値である所定の電流値を超えたとき、出力信号Ｓ１１０をＬ（ｌｏｗ）電圧からＨ（ｈｉｇｈ）電圧に反転させる。トリガ回路１３４は出力信号Ｓ１１０の反転を受信したとき、トリップコイル１３６を引き外す。
ここで、引き外しの基準となる基準値とは、電流又は電流（電流の関数を含む）とその継続時間により規定される値であり、実施の形態１の場合には、上述した瞬時回路１１０の所定の電流値、後述する長限時部１２４の反限時関数により規定される値、及び後述する短限時部１２２の所定の電流値と所定の継続時間により規定される値である。なお、瞬時回路１１０の所定の電流値は短限時部１２２の所定の電流値よりも大きい。
【００１０】
１１２は例えばマイコン（microcomputer）により構成された引き外し演算部、１１４は相選択サンプリング回路１０８からの信号をＡ／Ｄ（analog/digital）変換するＡ／Ｄ変換部、１１６は演算部であり、Ａ／Ｄ変換部１１４の出力データ及び記憶部１１８に記憶された引き外しの基準値に基づいて引き外し演算及び事前警報、後述する計測演算部２１２との通信のための演算等をする。１１８は例えばＲＡＭ（Random Access Memory）により形成された記憶装置であり、特性設定部（基準値設定部）１２８により設定された短限時、長限時及び事前警報の設定値を記憶する。１２０は演算部１１６からの指令に基づいて計測演算部２１２と通信する入出力部である。
【００１１】
１２４は長限時部であり、Ａ／Ｄ変換部１１４の出力データが記憶部１１８に記憶された長限時における引き外しの基準値を超えたとき、図示しないポートからの出力信号Ｓ１２４をＬ（ｌｏｗ）電圧からＨ（ｈｉｇｈ）電圧に反転させる。ここで、長限時における引き外しの基準値とは、通電電流と通電時間との反限時関数であって、例えば、定格電流よりもやや大きな電流が流れている過負荷領域における通電電流の実効値が反限時特性を有するものである。
１２２は短限時部であり、Ａ／Ｄ変換部１１４の出力データが記憶部１１８に記憶された短限時引き外しの基準値を超えたとき、図示しないポートからの出力信号Ｓ１２２をＬ（ｌｏｗ）電圧からＨ（ｈｉｇｈ）電圧に反転させる。ここで、短限時引き外しの基準値とは、通電電流と通電時間との関数であって、例えば事故電流が流れたとき長限時部１２４の反限時特性による引き外しを待たずに大電流に対して短時間で応答するものである。なお、実施の形態１では、短限時部１２２を有する配線用遮断器について説明したが、短限時部１２２が無いものであっても良い。
トリガ回路１３４は出力信号Ｓ１２２、Ｓ１２４の反転を受信したとき、トリップコイル１３６を引き外す。
１２６は事前警報部であり、Ａ／Ｄ変換部１１４の出力データが記憶部１１８に記憶された事前警報の基準値を超えたとき、図示しないポートからの出力信号Ｓ１２６をＬ（ｌｏｗ）電圧からＨ（ｈｉｇｈ）電圧に反転させる。ここで、事前警報の基準値とは、定格電流値よりもやや小さな値である。
【００１２】
１２８は瞬時回路１１０、短限時部１２２、長限時部１２４、事前警報部１２６へ基準値を設定する特性設定部（基準値設定部）であり、例えば図２に示すようなテーブルコードスイッチにより構成されている。図２を参照し、１２８Ａは特性設定部１２８の一部、例えば短限時引き外し基準値を設定するテーブルコードスイッチであり、一端が電源回路１３２の電源端子に接続され、接点ａ、ｂ、ｃ、ｄが閉じているときは引き外し演算部１１２にＨ信号が出力され、開いているときは引き外し演算部１１２にＬ信号が出力される。引き外し演算部１１２は接点ａ、ｂ、ｃ、ｄからのＨ信号とＬ信号の組み合せにより設定された基準値を識別する。テーブルコードスイッチ１２８Ａの接点ａ、ｂ、ｃ、ｄは配線用遮断器１の外部からドライバー等によりオンオフの設定が可能となっている。
図１に戻って、１３０ａ、１３０ｂ、１３０ｃは電路１０２ａ、１０２ｂ、１０２ｃに設けられ、電源回路１３２を動作させる電流検出器、１３２は電源回路（引き外し電源回路）であり、信号入力回路１０６、相選択サンプリング回路１０８、瞬時回路１１０引き外し演算部１１２、特性設定部１２８、トリガ回路１３４、及びトリップコイル１３６に駆動電源を供給する。１３４は出力信号Ｓ１１０、Ｓ１２２、Ｓ１２４がＨ信号に反転したとき、トリップコイル１３６へトリガ信号を出力するトリガ回路、１３６はトリガ回路１３４のトリガ信号に応じて開閉接点１３８ａ、１３８ｂ、１３８ｃを開路させるトリップコイルである。トリガ回路１３４、トリップコイル１３６により引き外し部が構成される。
【００１３】
２００は例えばマイコンにより構成された計測ユニットであり、配線用遮断器１００の筐体に収容されている。２０２ａ、２０２ｂは、電路１０２ａ、１０２ｂ、１０２ｃの電路間の電圧を検出する電圧検出器（トランス）、２０４は電圧検出器２０２ａ、２０２ｂの出力を電子回路で処理しやすいレベルに変換し出力する電圧信号入力回路、２０６は電圧信号入力回路２０４の出力をＡ／Ｄ変換するＡ／Ｄ変換部、２０８は電流検出器１０４ａ、１０４ｂ、１０４ｃの出力を電子回路で処理しやすいレベルに変換し出力する電流信号入力回路、２１０は電流信号入力回路２０８の出力をＡ／Ｄ変換するＡ／Ｄ変換部である。
【００１４】
２１２は計測演算部（通信演算部）であり、Ａ／Ｄ変換部２０６、２１０からの入力に基づいて電路１０２ａ、１０２ｂ、１０２ｃに流れる電流、電圧、電力量等を演算し表示器２１８へ表示し、ポート出力信号Ｓ１１０、Ｓ１２２、Ｓ１２４、Ｓ１２６がＨレベルに反転したときデータ出力部２１６より引き外し情報を送信し、また、通信線１４０を介して通信により記憶部１１８に記憶された引き外しの基準値を得る。２１４は計測演算部２１２が受信した引き外しの基準値を記憶する記憶部、２２０は電源回路（通信電源回路）であり、商用交流電源２２２を直流に変換し電路１０２ａ、１０２ｂ、１０２ｃの状態によらず連続して駆動電源を電圧信号入力回路、電流信号入力回路、Ａ／Ｄ変換部２０６、２１０、計測演算部２１２、記憶部２１４、データ出力部２１６、表示器２１８に供給する。
【００１５】
次に動作、特に基準値の送信動作について説明する。
（引き外し演算部）
配線用遮断器１００を所定の電路に設置した後、上述したように特性設定部１２８より各基準値を設定し、商用交流電源２２２に電源回路２２０を接続し、配線用遮断器１００の開閉接点１３８ａ、１３８ｂ、１３８ｃを閉路する。電源開路１３２より駆動電源が供給されると、引き外し演算部１１２は特性設定部１２８により設定された基準値（瞬時回路１１０、短限時、長限時、事前警報の基準値）を入力し、記憶部１１８に記憶する（ｓｔｅｐ０１）。
演算部１１６は記憶部１１８に記憶された引き外し基準値とＡ／Ｄ変換部１１４より入力したデータとを比較し、引き外し演算し（ｓｔｅｐ０２）、入力データが基準値を超えたとき各々短限時部１２２、長限時部１２４より出力信号Ｓ１２２、Ｓ１２４をＨレベルに反転させる（ｓｔｅｐ０３）。
同様に、演算部１１６は記憶部１１８に記憶された事前警報基準値とＡ／Ｄ変換部１１４より入力したデータとを比較し、事前警報演算し（ｓｔｅｐ０４）、事前警報部１２６により出力信号をＨレベルに反転させる（ｓｔｅｐ０５）。
【００１６】
引き外し演算部１１２が入出力部１２０を介して計測演算部２１２より、基準値の送信要求Ｓ２１２を受け取ったとき、演算部１１６は記憶部１１８に記憶された基準値を含む応答Ｓ１１２を入出力部１２０より、記憶演算部２１２へ送信する（ｓｔｅｐ０６）。
また、特性設定部１２８より基準値が変更されると、演算部１１６は基準値の変更を検出し、記憶部１１８に変更後の基準値を記憶させ、その後変更された基準値を計測演算部２１２へ送信する（ｓｔｅｐ０７）。
なお、ｓｔｅｐ０２の引き外し演算は、ｓｔｅｐ０６及びｓｔｅｐ０７における送信に係る演算よりも優先度を高くしているので、即ち、引き外し演算の合間に送信するように構成しているので、引き外しの信頼性を従来と同様に保つことができる。
【００１７】
（計測演算部）
計測演算部２１２は、自己の（図示しない）ポート毎に予め瞬時回路１１０、短限時回路１２２、長限時回路１２４、事故警報部１２６の対応を関連付けしておくことにより、出力信号Ｓ１１０、Ｓ１２２、Ｓ１２４、Ｓ１２６がＨレベルに反転したとき、何れの回路１１０、１２２、１２４、１２６が反転したかを検知することができ、対応する表示やデータの出力が可能となる。例えば、短限時部１２２からの出力信号Ｓ１２２が反転したときは、表示器２１８に「短限時トリップ中」と表示させ、短限時トリップしたことをその時刻とともにデータ出力部２１６より上位の集中端末に送信する。
【００１８】
計測演算部２１２は、上述したｓｔｅｐ０６及びｓｔｅｐ０７により記憶部１１８に記憶された基準値を含む情報を受信したとき、この基準値を記憶部２１４に記憶する（ｓｔｅｐ２０）。計測演算部２１２は、上位の集中端末より基準値の送信要求があったとき（ｓｔｅｐ２１）、記憶部２１４に記憶された基準値を含む信号を上位の集中端末に返信する（ｓｔｅｐ２２）。
また、計測演算部２１２は、電路１０２ａ、１０２ｂ、１０２ｃに流れる電流、電圧、電力量等の情報を時刻とともに記憶部２１４に記憶させ（ｓｔｅｐ２３）、上位の集中端末より計測値の送信要求があったとき（ｓｔｅｐ２４）、記憶部２１４に記憶された計測値を含む信号を上位の集中端末に返信する（ｓｔｅｐ２５）。
【００１９】
以上のように、配線用遮断器１００は、引き外しの基準となる設定された基準値を送信することにより外部から保護協調等の集中管理することが容易にできる。また、引き外し演算部１１２と別体に計測演算部２１２が設けられているので、設定された基準値を送信するときに、引き外し演算に影響を与えることがなく、引き外しの信頼性が高い。また、計測演算部２１２は電路１０２ａ、１０２ｂ、１０２ｃの状態によらず連続して電源回路２２０により駆動電源が供給されるので、引き外し演算部１１２が起動していないときにも設定された基準値を記憶部２１４から読み出して送信でき、外部から集中管理することが容易にできる。また、記憶部１１８に設定された基準値を通信線１４０を介した通信により送信するので、計測演算部２１２が特性設定部１２８で設定された基準値を直接取込む構成に比較し（例えば図２に示すような４ビットのテーブルコードスイッチを瞬時回路１１０、短限時回路１２２、長限時回路１２４、事前警報部１２６に各々用いると１６本の配線が必要となる）、配線用遮断器１００と計測ユニット２００との配線を簡素化でき、配線用遮断器１００を小型化することができる。
【００２０】
実施の形態２
以下この発明の実施の形態２について説明する。図３はこの発明の実施の形態２に係る配線用遮断器の構成を説明するブロック図である。図４はこの発明の実施の形態２に係る計測演算部の動作を説明するフローチャートである。図３において、１５０は電源線であり、電路１０２ａ、１０２ｂ、１０２ｃの通電電流が小さく電源回路１３２が引き外し演算部１１２等に駆動電源を供給できないとき、電源回路２２０からへ電源回路１３２へ駆動電源を供給する。２３０は計測演算部２１２からの指令に応じて、スイッチ２３２を開閉制御するスイッチ回路である。２３２はスイッチであり、例えばそのゲート端子がスイッチ回路２３０の出力端子に接続された半導体スイッチング素子により構成される。その他の構成は実施の形態１と同様であるのでその説明を省略する。
【００２１】
計測演算部２１２が引き外し演算部１１２から設定された基準値を受信する動作について図４を参照しながら説明する。
計測演算部２１２は基準値の送受信に係るプログラムの初期値としてｎ＝０を設定する（ｓｔｅｐ３０）。
計測演算部２１２に記憶された所定のタイミング（例えば１日に１回）で引き外し演算部１１２に対して設定された基準値の送信要求Ｓ２１２を送信する（ｓｔｅｐ３１）。
計測演算部２１２は、送信要求Ｓ２１２の送信後、予め決められた時間内に引き外し演算部１１２から送信要求Ｓ２１２に対する応答Ｓ１１２があったか否かをチェックする（ｓｔｅｐ３２）。
ｓｔｅｐ３２により応答Ｓ１１２を検出したときは、応答Ｓ１１２を受信し、この電文中の設定された基準値を記憶部２１４に記憶させる（ｓｔｅｐ３３）。
【００２２】
一方、ｓｔｅｐ３２により応答Ｓ１１２を検出しなかったときは、開閉接点１３８ａ、１３８ｂ、１３８ｃが開路、或は電路１０２ａ、１０２ｂ、１０２ｃの通電電流が小さく電源開路１３２より駆動電源を供給できていない、又は、引き外し演算部１１２の故障等の何らかの異常が発生がしている。このときには、ｎの値を１増加させる（ｓｔｅｐ３３）ととともに、スイッチ回路２３０にスイッチＯＮ指令を出力する（ｓｔｅｐ３４）。スイッチ回路２３０はスイッチＯＮ指令を受けると、スイッチ２３２をＯＮさせる。スイッチ２３２がＯＮされることにより、電源回路２２０から電源回路１３２へ駆動電源が供給される。
ついで、計測演算部２１２は、ｎ＝２であるか否かを検出し（ｓｔｅｐ３６）、ｎ＝２のときには、引き外し演算部１１２の故障等の何らかの異常が発生がしていると判断し、エラー表示及びデータ出力部より上位の集中端末にエラー情報を送信するとともにスイッチ２３２をＯＦＦさせる指令をスイッチ回路２３０に出力する（ｓｔｅｐ３７）。一方、ｓｔｅｐ３６によりｎ＝２でないとき（即ちｎ＝１のときには）、ｓｔｅｐ３１、３２を繰り返す。
【００２３】
ｓｔｅｐ３３により設定された基準値を記憶した後に、ｎ＝０であるか否かを検出し（ｓｔｅｐ３８）、ｎ＝０のときにはｓｔｅｐ３１に戻り送信要求を待つ。
一方、ｓｔｅｐ３８によりｎ＝０でないとき、スイッチ２３２をＯＦＦさせる指令をスイッチ回路２３０に出力し（ｓｔｅｐ３９）、ｎを０に初期化し（ｓｔｅｐ４０）、ｓｔｅｐ３１に戻り送信要求を待つ。
【００２４】
以上のように構成したので、開閉接点１３８ａ、１３８ｂ、１３８ｃが開路、或は電路１０２ａ、１０２ｂ、１０２ｃの通電電流が小さく電源回路１３２より駆動電源を供給できていないときにも、計測演算部２１２は記憶部１１８に記憶された基準値を読み出すことができる。また、電源回路１３２より駆動電源を供給できていないときに、記憶部１１８に記憶された基準値を読み出すときのみ電源回路２２０から電源回路１３２へ駆動電源を供給するので、常時電源回路２２０から電源回路１３２へ駆動電源を供給する場合に比較し、電源回路２２０からの発熱の問題も少なく、かつ電源回路２２０を小型化することができ、計測ユニット２００を内蔵する配線用遮断器１００を小型化できる。即ち、上述した電源回路２２０と同等回路（例えば３端子レギュレータ等の電源ＩＣ）を使用し、引き外し演算部１１２に常時駆動電源を供給することも可能であるが、この場合には、上記電源回路を高いディレーティング率で使用する必要があり、配線用遮断器１００の通電時の使用温度と電源回路２２０等を構成する電子部品の耐熱温度が近いことから、この電源回路からの発熱も無視できなくなる。一方、発熱による問題を解消するために、常時電源回路２２０から駆動電源を供給する電源回路として定格の大きなものを採用することも考えられるが、この場合には、定格の大きな電源回路の外形寸法が大きくなり、配線用遮断器１００の小型化を妨げることとなる。
また、計測演算部２１２は、引き外し演算部１１２から予め決められた時間内における応答Ｓ１１２の有無により、引き外し演算部１１２の異常を検出することができ、この情報をデータ出力部２１６を介して上位の端末へ送信することにより、上位の端末側で配線用遮断器１００の異常を知ることができる。
【００２５】
【発明の効果】
この発明に係る配線用遮断器は、引き外し部の動作により各相電路を開路する開閉接点と、上記引き外し部による引き外しの基準となる基準値を設定する基準値設定部と、上記基準値設定部で設定された基準値を記憶する記憶部と、上記各相電路を流れる電流を検出する電流検出器と、上記電流検出器からの入力と上記記憶部に記憶された基準値とに基づいて、上記引き外し部に引き外し信号を出力する引き外し演算部と、上記各相電路より上記引き外し演算部及び上記記憶部に駆動電源を供給する引き外し電源回路とを備えた配線用遮断器において、上記基準値を入力し、この基準値を外部の装置へ送信する上記引き外し演算部と別体の通信演算部と、上記通信演算部に上記各相電路の状態によらず連続して駆動電源を供給する通信電源回路とを備え、上記引き外し演算部は、上記通信演算部より基準値の送信要求を受けたとき、上記記憶部に記憶した基準値を返信するとともに、この通信処理よりも引き外しの演算処理の優先度が高く構成されたので、引き外しの基準となる設定された基準値を送信することにより外部から集中管理することが容易にできるとともに、設定された基準値を送信するときに、引き外し演算に影響を与えることがなく、引き外しの信頼性が高い。
【００２７】
また、通信電源回路は、引き外し電源回路が駆動電源を供給できないとき、上記引き外し電源回路が供給する回路に駆動電源を供給可能に構成されたので、引き外し演算部が起動していないときにも設定された基準値を送信でき、外部から集中管理することが容易にできる。
【００２８】
さらにまた、通信電源回路が引き外し電源回路に電源を供給している場合において、通信演算部が送信要求した時刻から予め決められた時間経過後までに上記引き外し演算部より応答がないとき、通信演算部はエラー情報を出力するように構成されたので、配線用遮断器の異常を検出することができる。
【図面の簡単な説明】
【図１】  この発明の実施の形態１に係る配線用遮断器の構成を説明するブロック図である。
【図２】  図１の特性設定部を構成するテーブルコードスイッチの説明図である。
【図３】  この発明の実施の形態２に係る配線用遮断器の構成を説明するブロック図である。
【図４】  この発明の実施の形態２に係る計測演算部の動作を説明するフローチャートである。
【図５】  従来の計測機能付の回路遮断器を示すものである。
【符号の説明】
１００  配線用遮断器、    １０２ａ、１０２ｂ、１０２ｃ  電路、    １０４ａ、１０４ｂ、１０４ｃ  電流検出器、    １１０  瞬時回路、    １１２引き外し演算部、    １１６  演算部、    １１８  記憶部、    １２２  短限時部、    １２４  長限時部、    １２８  特性設定部、    １３０ａ、１３０ｂ、１３０ｃ  電流検出器、    １３２  電源回路（引き外し電源回路）、  １３４  トリガ回路、    １３６  トリップコイル、    １３８ａ、１３８ｂ、１３８ｃ  開閉接点、    １４０  通信線、    ２００  計測ユニット、    ２０２ａ、２０２ｂ  電圧検出器、    ２１２  計測演算部（通信演算部）、  ２１４  記憶部、    ２２０  電源回路（通信電源回路）、  ２２２  商用交流電源
【図１】
0004310892.tif 000002
【図２】
0004310892.tif 000003
【図３】
0004310892.tif 000004
【図４】
0004310892.tif 000005
【図５】
0004310892.tif 000006